(57)【要約】      （修正有）【課題】挿入された雄タブの振動による接触点の磨耗の発生を抑えることにより、抵抗の増加を防止することのできる雌端子を提供する。【解決手段】箱部１１に収容されている一対の挟持板２０Ｕ、２０Ｄは、雄タブの挿入方向手前側の手前側隙間寸法Ｄ２が雄タブの厚み寸法を超え、挿入方向奥側の奥側端部間の奥側隙間寸法Ｄ１が雄タブの厚み寸法未満となっており、各々長手方向略中央部が互いに離れるように厚み方向に湾曲している湾曲部２３Ｕ、２３Ｄを有しているので、奥側端部間が雄タブにより押し拡げられると、湾曲部２３Ｕ、２３Ｄは箱部１１の内面に当接する接触点を支点１３として、梃子作用により手前側端部２４ｂを雄タブに押し付けて挟持するので、低挿入力で雄タブを接続できる。【選択図】図１
2005209515.tif 000002
【特許請求の範囲】
【請求項１】
帯状の雄タブを厚み方向に挟持するために、前記雄タブの挿入方向に沿って延びる一対の挟持板と、前記各挟持板を収容する箱部とを備える雌端子であって、
前記各挟持板の長手方向略中央部が互いに離れるように厚み方向に湾曲している湾曲部を設けるとともに、前記各挟持板における前記雄タブの挿入方向奥側に対応する奥側端部間の奥側隙間寸法が前記雄タブの厚み寸法未満であり、且つ、前記各挟持板における前記雄タブの挿入方向手前側に対応する手前側端部間の手前側隙間寸法が前記雄タブの厚み寸法を超えるように配置され、
前記雄タブの先端部を前記各奥側端部間に圧入させたとき、前記湾曲部が前記箱部に内接する点を支点とした梃子作用により、前記各手前側端部が互いに接近して前記雄タブの基端側を挟持することを特徴とする雌端子。
【請求項２】
前記各湾曲部に接触可能な前記支点が前記箱部に設けられていることを特徴とする請求項１に記載した雌端子。
【請求項３】
前記各手前側端部が前記箱部の挿入口近傍に配置されていることを特徴とする請求項１に記載した雌端子。
【請求項４】
前記各挟持板が前記箱部と一体成形されていることを特徴とする請求項１に記載した雌端子。
【発明の詳細な説明】
【技術分野】
【０００１】
本発明は雌端子に係り、例えば帯状の雄タブを挟持することにより導通を行う雌端子に関する。
【背景技術】
【０００２】
従来より、図１５（Ａ）および（ｂ）に示すような雌端子が知られている（例えば特許文献１参照）。
図１５（Ａ）に示すように、この雌端子１００はレセプタクルボックス１０１を有している。このレセプタクルボックス１０１は、頂部１０２、底部１０３および側部（図示省略）から構成されている。頂部１０２は中央部分に全体が矩形の凹入部分１０２ａを有しており、この凹入部分１０２ａの下面にはリブ１０２ｂが挿入方向に沿って設けられている。また、凹入部分１０２ａの入り口側端部を折り返して、入り口側開口１０４（図１５において左側開口）に上フラップ１０２ｃを設けている。この上フラップ１０２ｃは、鋭角を成すように開口１０４の中に下向きに曲げられている。底部１０３の対応する下フラップ１０３ａは、鋭角を成すようにレセプタクルボックス１０１の内部に曲げ返されている。
【０００３】
底部１０３の上面後部には可動ビーム部材１０５が片持ち式に取付けられており、可動ビーム部材１０５は入り口側開口１０４に向かって延びている。可動ビーム部材１０５の後方部分１０５ａは上向きに曲げ上げられており、後方部分１０５ａの前端から一旦曲げ下げられて後隆起部分１０５ｂを形成し、再び曲げ上げられて中央部分１０５ｃを形成している。さらに、中央部分１０５ｃの前端は一旦曲げ上げられてから曲げ下げられて前隆起部分１０５ｄを形成し、曲げ下げられて前方部分１０５ｅを形成している。
【０００４】
従って、図１５（Ｂ）に示すように、入り口側開口１０４から雄タブ１０６を挿入すると、両フラップ１０２ｃ、１０３ａの協働により、雄タブ１０６をレセプタクルボックス１０１の内部に案内する。雄タブ１０６は可動ビーム部材１０５の前隆起部分１０５ｄおよび後隆起部分１０５ｂに当接して可動ビーム部材１０５を押し下げ、前端部１０５ｆを底部１０３に押し付ける。その反力により、雄タブ１０６は頂部１０２のリブ１０２ｂに押し付けられて接触し、導通する。
【特許文献１】特開平１−２０２３２８号公報（図５）
【発明の開示】
【発明が解決しようとする課題】
【０００５】
ところで、雄タブ１０６は前隆起部分１０５ｄで頂部１０２のリブ１０２ｂに押し付けられているので、コネクタのガタ等により雄タブ１０６が振動すると、雄タブ１０６と前隆起部分１０５ｄとが擦れて前隆起部分１０５ｄが磨耗する。
これにより、電気抵抗が増してしまうという不都合があった。
【０００６】
本発明は、前述した問題点に鑑みてなされたものであり、その目的は、挿入された雄タブの振動による接触点の磨耗の発生を抑えることにより、電気抵抗の増加を防止することのできる雌端子を提供することにある。
【課題を解決するための手段】
【０００７】
１）前述した目的を達成するために、本発明にかかる雌端子は、帯状の雄タブを厚み方向に挟持するために、前記雄タブの挿入方向に沿って延びる一対の挟持板と、前記各挟持板を収容する箱部とを備える雌端子であって、前記各挟持板の長手方向略中央部が互いに離れるように厚み方向に湾曲している湾曲部を設けるとともに、前記各挟持板における前記雄タブの挿入方向奥側に対応する奥側端部間の奥側隙間寸法が前記雄タブの厚み寸法未満であり、且つ、前記各挟持板における前記雄タブの挿入方向手前側に対応する手前側端部間の手前側隙間寸法が前記雄タブの厚み寸法を超えるように配置され、前記雄タブの先端部を前記各奥側端部間に圧入させたとき、前記湾曲部が前記箱部に内接する点を支点とした梃子作用により、前記各手前側端部が互いに接近して前記雄タブの基端側を挟持することを特徴としている。
【０００８】
このように構成された雌端子においては、箱部に収容されている一対の挟持板が帯状の雄タブを挟持することにより導通を行う。すなわち、一対の挟持板は、雄タブの挿入方向手前側の手前側端部間の手前側隙間寸法が雄タブの厚み寸法を超えているので、挿入時には雄タブは挟持板の手前側端部に挟持されることなく容易に挿入される。一方、雄タブの挿入方向奥側の奥側端部間の奥側隙間寸法が雄タブの厚み寸法未満となっているので、雄タブを奥側端部間に押し込むと、奥側端部間を押し拡げる。ここで、一対の挟持板は、各々長手方向略中央部が互いに離れるように厚み方向に湾曲している湾曲部を有しているので、奥側端部間が雄タブにより押し拡げられると、湾曲部は箱部の内面に当接する。この接触点を支点として、梃子作用により手前側端部を雄タブに押し付けて挟持するので、低挿入力で雄タブを接続できる。
【０００９】
２）また、本発明にかかる雌端子は、前記各湾曲部に接触可能な前記支点が前記箱部に設けられていることを特徴としている。
【００１０】
このように構成された雌端子においては、挟持板の奥側端子を雄タブが押し拡げると、箱部に設けられている支点を中心として挟持板が回転し、梃子作用により挟持板の手前側端部が雄タブを挟持するので、低挿入力で雄タブを接続できる。
【００１１】
３）また、本発明にかかる雌端子は、前記各手前側端部が前記箱部の挿入口近傍に配置されていることを特徴としている。
【００１２】
このように構成された雌端子においては、雄タブを挟持する挟持板の手前側端部が箱部における挿入口近傍に設けられているので、雄タブが振動して箱部に衝突するのを防止できる。
【００１３】
４）また、本発明にかかる雌端子は、前記各挟持板が前記箱部と一体成形されていることを特徴としている。
【００１４】
このように構成された雌端子においては、挟持板が箱部と一体成型されているので、部品点数を少なくして、容易に作成できる。
【発明の効果】
【００１５】
本発明によれば、従来のような微摺動磨耗による電気抵抗の増加という問題を解消でき、振動が多い場所に用いても振動の影響を受けにくい雌端子を提供できる。
【発明を実施するための最良の形態】
【００１６】
以下、本発明に係る実施形態を図面に基づいて詳細に説明する。図１は本発明の雌端子に係る第１実施形態を示す断面図、図２は図１中II方向から見た断面図、図３は図１中III方向から見た端面図、図４は図３中IV−IV位置で切断した状態を示す斜視図、図５（Ａ）〜（Ｃ）は雌端子の製作工程を示す説明図、図６（Ａ）は雄タブを挿入している状態を示す断面図、図６（Ｂ）は雄タブが挟持された状態を示す断面図である。
【００１７】
図１〜図４に示すように、本発明の第１実施形態である雌端子１０Ａでは、外側に断面矩形の角筒状の箱部１１を有しており、前面（図１中左端面）に挿入口である開口１２を有している。箱部１１の内部空間１１ａには、帯状の雄タブ３０（図６参照）の挿入方向に沿って延びる上下一対の挟持板２０Ｕ、２０Ｄが設けられている。また、箱部１１の天板１１Ｕの中央部にはＵ字状の切欠きを設けて、支点としての舌片１３が、奥側（図１において右側）が内部空間１１ａに垂れ下がるように湾曲して設けられている。
【００１８】
図１に示すように、各挟持板２０Ｕ、２０Ｄは、各々前端が開口１２の近傍まで延びる端子部２１Ｕ、２１Ｄと、端子部２１Ｕ、２１Ｄの奥側の支持部２２Ｕ、２２Ｄから構成されており、端子部２１Ｕ、２１Ｄは支持部２２Ｕ、２２Ｄにより片持ち状態で支持されている。端子部２１Ｕ、２１Ｄは、挿入方向（図１において右方向）に長い帯状をしており、各挟持板２０Ｕ、２０Ｄの奥側に設けられている支持部２２Ｕ、２２Ｄにより箱部１１に一体的に支持されている。
なお、上側の挟持板２０Ｕの支持部２２Ｕは箱部１１の左側壁１１Ｌ（図２において上側の壁）に支持され、下側の挟持板２０Ｄの支持部２２Ｄは箱部１１の右側壁１１Ｒ（図２において下側の壁）に支持されている。このため、挟持板２０Ｕ、２０Ｄは上下方向の振動に追従しやすい構造となっている。
【００１９】
各挟持板２０Ｕ、２０Ｄの端子部２１Ｕ、２１Ｄには、長手方向略中央部において、互いに離れるように厚み方向（図１において上下方向）に湾曲している湾曲部２３Ｕ、２３Ｄが設けられている。各挟持板２０Ｕ、２０Ｄの端子部２１Ｕ、２１Ｄの奥側端部間距離である奥側隙間寸法Ｄ１は、雄タブ３０の厚み寸法Ｄ０（図６参照）未満であり、手前側端部間距離である手前側隙間寸法Ｄ２は、雄タブ３０の厚み寸法Ｄ０以上に設定されている。すなわち、Ｄ２＞Ｄ０＞Ｄ１となっている。
【００２０】
図５に示すように、雌端子１０Ａは、一枚の板材１４Ａから作成できる。
すなわち、図５（Ａ）に示すように、天板１１Ｕおよび底板１１Ｂに該当する部分に舌片１３用のＵ字状の切欠き１５ａ、１５ｂを設ける。また、左側壁１１Ｌに該当する部分に上挟持板２０Ｕ用の全体Ｌ字状の切欠き１５ｃを設け、右側壁１１Ｒに該当する部分に下挟持板２０Ｄ用の全体Ｌ字状の切欠き１５ｄを設ける。
【００２１】
続いて、図５（Ｂ）に示すように、切欠き１５ａ（および切欠き１５ｃ）を上側に湾曲させて、支点である舌片１３Ｕ（１３Ｄ）を形成する。また、切欠き１５ｂ（および１５ｄ）の根元から上方へ直角に折り曲げて上側挟持板２０Ｕ（２０Ｄ）を作成する。さらに、図５（Ｃ）に示すように、挟持板２０Ｕ（２０Ｄ）の端子部２１Ｕ（２１Ｄ）を湾曲させ、最後に、両挟持板２０Ｕ、２０Ｄが水平になるように板材１４Ａを矩形筒状に折り曲げて一体的に接合する。
【００２２】
図６（Ａ）に示すように、このようにして作成した雌端子１０Ａに雄タブ３０を挿入すると、挟持板２０Ｕ、２０Ｄの手前側隙間寸法Ｄ２は雄タブ３０の厚さＤ０よりも大きいため、雄タブ３０は容易に挿入される。雄タブ３０の先端が挟持板２０Ｕ、２０Ｄの奥側端部に達すると、奥側隙間寸法Ｄ１が雄タブ３０の厚さＤ０よりも小さいため、雄タブ３０は両挟持板２０Ｕ、２０Ｄの奥側端部２４ａを押し拡げる（図６（Ｂ）中矢印ａ）。このため、両挟持板２０Ｕ、２０Ｄは各々外側（上下）に移動し、湾曲部２３Ｕ、２３Ｄの頂部付近が舌片１３に当接する。図６（Ｂ）に示すように、舌片１３との接触点を支点２４ｃとして、梃子作用により両手前側端部２４ｂが図中矢印ｂに示すように接近して雄タブ３０の基端側を挟持する。
【００２３】
以上、前述した雌端子１０Ａによれば、雄タブ３０を挿入して挟持板２０Ｕ、２０Ｄの奥側端部２４ａと手前側端部２４ｂで挟持した状態では、各挟持板２０Ｕ、２０Ｄが手前側端部２４ｂが自由端である片持ち状に支持されているので、雄タブ３０が振動した際に手前側端部２４ｂが追従する。
特に、上下方向に振動した場合には容易に追従できる。このため、従来のように、挟持板２０Ｕ、２０Ｄが雄タブ３０の上下振動により磨耗して電気抵抗が増すという問題を解決できる。
また、各挟持板２０Ｕ、２０Ｄにおいては、手前側端部間距離である手前側隙間寸法Ｄ２は、雄タブ３０の厚み寸法Ｄ０以上に設定されているので、雄タブ３０を容易に挿入することができ、低挿入力により雄タブ３０と雌端子１０Ａとを接続できる。
【００２４】
次に、本発明の第２実施形態である雌端子１０Ｂについて説明する。
図７は本発明の雌端子に係る第２実施形態を示す断面図、図８は図７中VIII方向から見た断面図、図９は図７中IX方向から見た端面図、図１０（Ａ）〜（Ｄ）は雌端子の製作工程を示す説明図である。
なお、前述した第１実施形態に係る雌端子１０Ａと共通する部位には同じ符号を付して、重複する説明を省略することとする。
【００２５】
図７〜図９に示すように、この雌端子１０Ｂでは、各挟持板２０Ｕ、２０Ｄは、各々前端が挿入口である開口１２の近傍まで延びる端子部２１Ｕ、２１Ｄと、端子部２１Ｕ、２１Ｄの奥側の支持部２５Ｕ、２５Ｄから構成されており、端子部２１Ｕ、２１Ｄは支持部２５Ｕ、２５Ｄにより片持ち状に支持されている。端子部２１Ｕ、２１Ｄは、挿入方向（図７において右方向）に長い帯状をしており、各挟持板２０Ｕ、２０Ｄの奥側に設けられている支持部２５Ｕ、２５Ｄにより箱部１１に一体的に支持されている。
なお、上側の挟持板２０Ｕの支持部２５Ｕは箱部１１の天板１１Ｕに支持され、下側の挟持板２０Ｄの支持部２５Ｄは箱部１１の底板１１Ｂに支持されている。このため、挟持板２０Ｕ、２０Ｄは前後方向の振動に追従しやすい構造となっている。
【００２６】
図１０に示すように、雌端子１０Ｂは、一枚の板材１４Ｂから作成できる。
すなわち、図１０（Ａ）に示すように、天板１１Ｕに該当する部分に舌片１３用のＵ字状の切欠き１５ａを設け、この切欠き１５ａの奥側に上挟持板２０Ｕ用の全体Ｌ字状の切欠き１５ｃを設ける。同様に、底板１１Ｂに該当する部分に舌片１３用のＵ字状の切欠き１５ｂを設け、この切欠き１５ｂの奥側に下挟持板２０Ｄ用の全体Ｌ字状の切欠き１５ｄを設ける。
【００２７】
続いて、図１０（Ｂ）に示すように、切欠き１５ａ（および切欠き１５ｃ）を上側に湾曲させて、舌片１３Ｕ（１３Ｄ）を形成する。また、切欠き１５ｂ（および１５ｄ）の根元から上方へ直角に折り曲げて挟持板２０Ｕ、２０Ｄを形成し、さらに、図１０（Ｃ）に示すように、挟持板２０Ｕ（２０Ｄ）の端子部２１Ｕ（２１Ｄ）を湾曲させて湾曲部２３Ｕ、２３Ｄを形成する。次いで、図１０（Ｄ）に示すように、支持部２５Ｕ、２５Ｄを形成するように挟持板２０Ｕ、２０Ｄを手前側に折り返して、端子部２１Ｕ、２１Ｄが舌片１３の上に被るように位置決めする。最後に、両挟持板２０Ｕ、２０Ｄの端子部２１Ｕ、２１Ｄが水平になるように板材１４Ｂを矩形筒状に折り曲げて一体的に接合する。
【００２８】
以上、前述した雌端子１０Ｂによれば、雄タブ３０を挿入して挟持板２０Ｕ、２０Ｄの奥側端部２４ａと手前側端部２４ｂで挟持した状態では、各挟持板２０Ｕ、２０Ｄが手前側端部２４ｂが自由端である片持ち状に支持されているので、雄タブ３０が振動した際に手前側端部２４ｂが追従する。特に、前後方向（挿入方向）に振動した場合には容易に追従できる。このため、従来のように、挟持板２０Ｕ、２０Ｄが雄タブ３０の前後振動により磨耗して電気抵抗が増すという問題を解決できる。
また、各挟持板２０Ｕ、２０Ｄにおいては、手前側端部間距離である手前側隙間寸法Ｄ２は、雄タブ３０の厚み寸法Ｄ０以上に設定されているので、雄タブ３０を容易に挿入することができ、低挿入力により雄タブ３０と雌端子１０Ｂとを接続できる。
【００２９】
次に、本発明の第３実施形態である雌端子１０Ｃについて説明する。
図１１は本発明の雌端子に係る第３実施形態を示す断面図、図１２は図１１中XII方向から見た断面図、図１３は図１１中XIII方向から見た端面図、図１４（Ａ）〜（Ｄ）は雌端子の製作工程を示す説明図である。
なお、前述した第１実施形態に係る雌端子１０Ａおよび第２実施形態に係る雌端子１０Ｂと共通する部位には同じ符号を付して、重複する説明を省略することとする。
【００３０】
図１１〜図１３に示すように、この雌端子１０Ｃでは、各挟持板２０Ｕ、２０Ｄは、各々前端が挿入口である開口１２の近傍まで延びる端子部２１Ｕ、２１Ｄと、端子部２１Ｕ、２１Ｄの奥側の支持部２６Ｕ、２６Ｄから構成されており、端子部２１Ｕ、２１Ｄは支持部２６Ｕ、２６Ｄにより片持ち状に支持されている。端子部２１Ｕ、２１Ｄは、挿入方向（図１１において右方向）に長い帯状をしており、各挟持板２０Ｕ、２０Ｄの奥側に設けられている支持部２６Ｕ、２６Ｄにより箱部１１に一体的に支持されている。
なお、上側の挟持板２０Ｕの支持部２６Ｕは箱部１１の天板１１Ｕに支持され、下側の挟持板２０Ｄの支持部２５Ｄは箱部１１の底板１１Ｂに支持されている。このため、挟持板２０Ｕ、２０Ｄは左右方向の振動に追従しやすい構造となっている。
【００３１】
図１４に示すように、雌端子１０Ｂは、一枚の板材１４Ｃから作成できる。
すなわち、図１４（Ａ）に示すように、天板１１Ｕに該当する部分に舌片１３用のＵ字状の切欠き１５ａを設けるとともに、この切欠き１５ａの奥側に天板１１Ｕと左側壁１１Ｌとに跨って上挟持板２０Ｕ用の全体Ｌ字状の切欠き１５ｃを設ける。同様に、底板１１Ｂに該当する部分に舌片１３用のＵ字状の切欠き１５ｂを設けるとともに、この切欠き１５ａの奥側に底板１１Ｂと右側壁１１Ｒとに跨って下挟持板２０Ｄ用の全体Ｌ字状の切欠き１５ｄを設ける。
【００３２】
続いて、図１４（Ｂ）に示すように、切欠き１５ａ（および切欠き１５ｃ）を上側に湾曲させて、舌片１３Ｕ（１３Ｄ）を形成する。また、切欠き１５ｂ（および１５ｄ）の根元から上方へ直角に折り曲げ、さらに、図１４（Ｃ）に示すように、挟持板２０Ｕ（２０Ｄ）の端子部２１Ｕ（２１Ｄ）を湾曲させて湾曲部２３Ｕ、２３Ｄを形成する。次いで、図１４（Ｄ）に示すように、支持部２６Ｕ、２６Ｄを形成するように端子部２１Ｕ、２１Ｄを水平に折り返して、端子部２１Ｕ、２１Ｄが舌片１３Ｕ、１３Ｄの上に被るように位置決めする。最後に、両挟持板２０Ｕ、２０Ｄの端子部２１Ｕ、２１Ｄが水平になるように板材１４Ｃを矩形筒状に折り曲げて一体的に接合する。
【００３３】
以上、前述した雌端子１０Ｃによれば、雄タブ３０を挿入して挟持板２０Ｕ、２０Ｄの奥側端部２４ａと手前側端部２４ｂで挟持した状態では、各挟持板２０Ｕ、２０Ｄが手前側端部２４ｂが自由端である片持ち状に支持されているので、雄タブ３０が振動した際に手前側端部２４ｂが追従する。特に、左右方向に振動した場合には容易に追従できる。
このため、従来のように、挟持板２０Ｕ、２０Ｄが雄タブ３０の水平振動により磨耗して電気抵抗が増すという問題を解決できる。
また、各挟持板２０Ｕ、２０Ｄにおいては、手前側端部間距離である手前側隙間寸法Ｄ２は、雄タブ３０の厚み寸法Ｄ０以上に設定されているので、雄タブ３０を容易に挿入することができ、低挿入力により雄タブ３０と雌端子１０Ｃとを接続できる。
【００３４】
なお、本発明の雌端子１０Ａ、１０Ｂ、１０Ｃは、前述した各実施形態に限定されるものでなく、適宜な変形，改良等が可能である。
例えば、前述した各実施形態においては、箱部１１および挟持板２０Ｕ、２０Ｄおよび舌片１３を一枚の板材１４Ａ、１４Ｂ、１４Ｃから切断加工および折り曲げ加工により切り起こして一体的に作成したが、複数個の部品を組み合わせて一体的となるようにすることも可能である。
【図面の簡単な説明】
【００３５】
【図１】本発明の雌端子に係る第１実施形態を示す断面図である。
【図２】図１中II方向から見た断面図である。
【図３】図１中III方向から見た端面図である。
【図４】図３中IV−IV位置で切断した状態を示す斜視図である。
【図５】（Ａ）〜（Ｃ）は雌端子の製作工程を示す説明図である。
【図６】（Ａ）は雄タブを挿入している状態を示す断面図、（Ｂ）は雄タブが挟持された状態を示す断面図である。
【図７】本発明の雌端子に係る第２実施形態を示す断面図である。
【図８】図７中VIII方向から見た断面図である。
【図９】図７中IX方向から見た端面図である。
【図１０】（Ａ）〜（Ｄ）は雌端子の製作工程を示す説明図である。
【図１１】本発明の雌端子に係る第３実施形態を示す断面図である。
【図１２】図１１中XII方向から見た断面図である。
【図１３】図１１中XIII方向から見た端面図である。
【図１４】（Ａ）〜（Ｄ）は雌端子の製作工程を示す説明図である。
【図１５】（Ａ）は従来の雌端子を示す断面図、（Ｂ）は雄タブを挟持した状態を示す断面図である。
【符号の説明】
【００３６】
１０Ａ、１０Ｂ、１０Ｃ  雌端子
１１  箱部
１３  舌片（支点）
２０Ｕ、２０Ｄ  挟持板
２３Ｕ、２３Ｄ  湾曲部
２４ａ  奥側側端部
２４ｂ  手前側端部
３０  雄タブ
Ｄ０  厚み
Ｄ１  奥側隙間寸法
Ｄ２  手前側端部間
【図１】
2005209515.tif 000003
【図２】
2005209515.tif 000004
【図３】
2005209515.tif 000005
【図４】
2005209515.tif 000006
【図５】
2005209515.tif 000007
【図６】
2005209515.tif 000008
【図７】
2005209515.tif 000009
【図８】
2005209515.tif 000010
【図９】
2005209515.tif 000011
【図１０】
2005209515.tif 000012
【図１１】
2005209515.tif 000013
【図１２】
2005209515.tif 000014
【図１３】
2005209515.tif 000015
【図１４】
2005209515.tif 000016
【図１５】
2005209515.tif 000017